(57)【要約】  【目的】  車両の着座者の臀部と腰部とを分けて保温させることができるとともに、車内の運転席、助手席又は後部座席のどれに取り付けてもコードの取り回しを簡単に変更して利用できる座席保温器具を提供する。  【解決手段】  座席保温器具１は、座席２０の座部２１に載置され、面発熱体４を内蔵する本体部１１と、本体部１１の後端からベルト１２が突出され、ベルト１２の先端に膨大部１３を座席２０の座部２１と背当て部２２との隙間に挿入できる挟持固定部１４と、本体部１１の後端に折曲げ部１５を介して折曲げ可能に延設され、座席２０の背当て部２２に接触される副体部１６とを有している。また、裏面にはコードを折り畳んで収容できるリアガイド部及びサイドガイド部が設けられている。【選択図】  図１
2005186899.tif 000002
【特許請求の範囲】
【請求項１】
車両の座席に載せ、該車両のシガーライターソケットから給電される面発熱体を内蔵する座席保温器具にあって、
座席の座部に載置され又は座席の背当て部に接触され、該面発熱体を内蔵する本体部と、該本体部の後端から突出され先端の膨大部を座席の座部と背当て部との隙間に挿入できる挟持固定部と、該本体部の後端に折曲げ部を介して折曲げ可能に延設され、座席の背当て部に接触される又は座席の座部に載置される副体部とを有し、着座者が座ることのできる可撓性素材からなる該本体部及び該副体部のコ字状又はＵ字状周縁を肉厚に形成するとともに、給電するためのコードを突出させる該折曲げ部の裏面に、該本体部の後端に沿った筒体状のガイド部を形成し、該本体部及び該副体部の左右両側それぞれの裏面に、端縁に沿った筒体状のガイド部を形成することを特徴とする座席保温器具。
【発明の詳細な説明】
【技術分野】
【０００１】
本発明は、自動車、トラック、作業用車両など車両の、運転席、助手席、客席など座席に載せ、該車両のシガーライターソケットから給電される面発熱体を内蔵する座席保温器具に関する。
【背景技術】
【０００２】
従来より自動車の暖房について、車両に備えられた暖房器具が運転開始時には車両自体が冷えているために充分に暖房が効かないことや、座った時に座席自体が冷たく感じられることや、車両での移動中も暖気は上昇するために上下での温度差が生じて腰元から足下までが寒く感じられるといった不満を解消するために、さまざまな座席保温器具が開発されている。例えば運転室の無い作業用車両の座席に載せ、該車両のシガーライターソケットから給電される面発熱体を内蔵する座席保温器具にあって、ヒータに蓄熱シートを重合して防水性シートを持って密封形成した座席保温器具があった。（特許文献１）
【０００３】
【特許文献１】実公昭５９−００５６２７号公報
【発明の開示】
【発明が解決しようとする課題】
【０００４】
しかし、作業用車両は運転席しかないので、運転席用の座席保温器具を助手席や後部座席で利用するようにはコードが短かったり、コードを単に長くしただけでは車両のシガーライターソケットから近い座席位置で短く使用できる時には余分なコードが邪魔になることがある。また、運転席や助手席などといった座席位置により製品を分けて提供することは様々な点で効率がよくない。
【課題を解決するための手段】
【０００５】
そこで、本発明は上述の課題に解決するために鑑みてなされたものであり、請求項１に係る発明は、車両の座席に載せ、該車両のシガーライターソケットから給電される面発熱体を内蔵する座席保温器具にあって、
座席の座部に載置され又は座席の背当て部に接触され、該面発熱体を内蔵する本体部と、該本体部の後端から突出され先端の膨大部を座席の座部と背当て部との隙間に挿入できる挟持固定部と、該本体部の後端に折曲げ部を介して折曲げ可能に延設され、座席の背当て部に接触される又は座席の座部に載置される副体部とを有し、着座者が座ることのできる可撓性素材からなる該本体部及び該副体部のコ字状又はＵ字状周縁を肉厚に形成するとともに、給電するためのコードを突出させる該折曲げ部の裏面に、該本体部の後端に沿った筒体状のガイド部を形成し、該本体部及び該副体部の左右両側それぞれの裏面に、端縁に沿った筒体状のガイド部を形成することを特徴とする座席保温器具である。
これにより、本体部及び副体部のコ字状又はＵ字状周縁を、中央付近に比較して肉厚に形成しているので、座席の背当て部に接触させていても形状がくずれて前に倒れ込んだりすることが無くなる。そのため面発熱体を内蔵する本体部を、座席の座部に載置すれば着座者の臀部を保温できる一方、座席の背当て部に接触させれば着座者の腰部を保温する使い分けが可能になる。特に、副体部は、本体部と異なり面発熱体も内蔵していないので背当て部に接触させた状態でも形状を崩さない効果が高い。
また、その保温箇所の使い分けに伴って、座席保温器具を座席上で１８０度回転させて取り付けるので、車両のシガーライターソケットから給電するためのコードの配置もそれに合わせて変更する必要がある。また、車両におけるシガーライターソケットの取り付け位置は前方中央なので、その左右に位置する運転席と助手席とではコードの取り回しを左右逆にする場合、本体部及び副体部の左右両側それぞれの裏面に、端縁に沿って形成した筒体状のガイド部をそれぞれ使い分けて利用できる。また、後方に離れた後部座席では長いコードを必要とするために、運転席と助手席とではその長いコードの一部を収納して使うので、折曲げ部の裏面に、本体部の後端に沿って形成した筒体状のガイド部に余分なコードを収容して使用ができる。
ここで、面発熱体としては、半導体熱交換素子を用いた発熱体が可撓性及び消費電力等の点から好ましく、他にはニクロム線といったコード状発熱体を蛇行状に配設してもよい。また、挟持固定部を取り付ける座部と背当て部との隙間について、座席の背当て部は座部に対し角度調整が可能なように分離されており、座部と背当て部との隙間は充分にある。またセダン型の車両の後部座席であっても、背当て部は角度調整のために前後へ回動しないが、座部とは分離しているので充分に座席保温器具１を取り付けられる。
【発明の効果】
【０００６】
詳述したように請求項１に係る本発明によれば、座席上で１８０度取り付け方向を変えるだけで、着座者の臀部と腰部とを分けて保温させることができるとともに、車内の取り付け座席の位置が異なっていても、コードの取り回しを簡単に変更することにより、どの座席でも本発明の座席保温器具だけを利用するだけで、どの位置の座席でも暖かく快適な移動時間を楽しむことができる。
【発明を実施するための最良の形態】
【０００７】
以下、本発明の実施の形態を添付図面に基づいて説明する。なお、本発明はこれに限定されるものではない。
ここで、図１は、本発明に係る座席保温器具を運転席に取り付けた状態を示す説明図であり、図２は、図１の座席保温器具のコード取り回し状態を、面発熱体が座部側に位置する場合と背当て側に位置する場合とに分けて座席保温器具を平面状態として示す説明図である。
座席保温器具１は、車両の座席２０に載せられ、車両のダッシュボードに備えられているガーライターソケットにアダプター２を差し込み、コード３を通して給電される面発熱体４を内蔵している。
座席保温器具１は、座席２０の座部２１に載置され、面発熱体４を内蔵する本体部１１と、本体部１１の後端からベルト１２が突出され、ベルト１２の先端に膨大部１３を座席２０の座部２１と背当て部２２との隙間に挿入できる挟持固定部１４と、本体部１１の後端に折曲げ部１５を介して折曲げ可能に延設され、座席２０の背当て部２２に接触される副体部１６とを有している。
本体部１１、折曲げ部１５及び副体部１６は、着座者が座ることのできる可撓性素材、例えば表面にウレタン素材を、内側に防水性布帛を介して面発熱体を有している。また挟持固定部１４は、座席保温器具１の裏面に基端を逢着されたベルト１２と、ベルト１２の先端に取り付けられたこぶし大の膨大部１３とからなり、座部２１と背当て部２２との隙間にそれらの柔軟性に抗しながら膨大部１３を挿入することにより膨大部１３が抜け止めになり、座席保温器具１が座席の前方にズレ落ちることを防いでいる。また、本体部１１、折曲げ部１５及び副体部１６の裏面には滑り止め樹脂によるディンプル加工生地が使用されズレ落ち防止効果を高めている。
【０００８】
図２に示すように本体部１１、折曲げ部１５及び副体部１６を平面上に展開した矩形外周のうち、本体部１１及び副体部１６のコ字状の前後端周縁は、ウレタン素材及び布帛を縫製した内側に綿状体を詰めて肉厚に形成しているので、その肉厚部が構造体的機能となり、座席の背当て部に接触させていても形状がくずれて前に倒れ込んだりすることが無く、側面から見てほぼＬ字状に座席保温器具１を座席２０に載せることができる。
図２（ａ）は運転席の座部２０に本体部１１を載置した場合を示し、図示の左側にハンドルが、上側に乗降用のドアがある位置関係になる。本体部１１の内側に内蔵した面発熱体４に接続された給電用のコード３は、本体部の左側縁のうち折曲げ部付近から外側へ突出され、その付近のコード途中には、通電をオンオフするスイッチ５が取り付けられている。そこから伸びるコードは、ダッシュボードのシガーライターソケットまでには長すぎるので点線で示すように折り曲げて座席保温器具１に収容しておき、座席保温器具１から出るコード３は適切な長さに調整できる。長いコード３を収容するために、折曲げ部１５の裏面には、本体部１１の後端に沿った筒体状のリアガイド部１７を形成している。リアガイド部１７は、長尺状の可撓性素材を折曲げ部１５の長手方向だけ縫製しておき、左右側は開口した筒状に形成されているので、リアガイド部１７の左右側開口部からコード３の長さを折り畳んで調整しながら収容することができる。リアガイド部１７の取り付けは、折曲げ部１５の中央に挟持固定部１４を取り付けているために、左右側に分けて取り付けているが、リアガイド部１７又は挟持固定部１４の取り付け位置が前後方向にずれて干渉しない位置関係であれば、リアガイド部１７を折曲げ部１５と同程度に長く形成したり、適宜箇所に筒状内部のコードの送りを補助するために指先を入れることのできる送り孔を形成することも可能である。なおコード３、面発熱体４又はスイッチ５にはサーモスタットやヒューズなどが取り付けられている。
また、本体部１１及び副体部１６の左右両側それぞれ４カ所の裏面には、その端縁に沿った筒体状のサイドガイド部１８を形成しているので、リアガイド部１７により長さを調整したコード３を通して、運転席及び助手席の間に配置されたセンターコンソールボックスや肘掛け等に引っ掛からないように座席前側へ誘導させることができる。サイドガイド部１８の形成方法はリヤガイド部１７と同様であり、長尺状の可撓性素材を左右縁縁の長手方向だけ縫製しておき、前後側は開口した筒状に形成されているので、リアガイド部１７で長さを調整したコード３を挿通しておく。
更に、外したアダプター２を含めてコード３の全体をリヤガイド部１７及びサイドガイド部１８に収容できるので、冬季シーズンだけでなくクッションとしても年中使用することができる。また、コード３の全体をリヤガイド部１７及びサイドガイド部１８に収容するとともに、折曲げ部１５で折曲げて本体部１１と副体部１６とを合わせて小さく収納できるので、シーズンオフに座席保温器具１を座席から取り外して保管するときも保管場所も取らず便利である。
【０００９】
なおリヤガイド部１７及びサイドガイド部１８の両縁を縫着しているが、片側に面ファスナーを取り付けてリヤガイド部１７及びサイドガイド部１８を開閉自在にすることで、リヤガイド部１７及びサイドガイド部１８を開放して折り畳んだりしたコード３を置いてから面ファスナーを貼りつけリヤガイド部１７及びサイドガイド部１８を閉じることによりコード３を収容しやすくすることも可能である。また、本体部１１及び副体部１６の裏面にポケット状収容部を設け、その収容部へ着座者又は取り付け者がタオルやパッドを入れておき、着座者の好みや体格に合わせるといったランバーサポート機能を向上させることも可能である。
【００１０】
一方、図２（ｂ）は、運転席の座部２０に副体部１６を載置し、本体部１１を背当て部２２に接触させた場合を示しており、図２（ａ）に図示した座席保温器具１を１８０度水平に回動させた位置関係となる。面発熱体４に接続された給電用のコード３は、本体部の右側縁のうち折曲げ部付近から外側へ突出され、その付近のコード途中には、通電をオンオフするスイッチが取り付けられている。そこから伸びるコードを、リアガイド部１７の左右側開口部からコード３の長さを折り畳んで調整しながら収容している。そして、シガーライターソケットに近い車両中央側の副体部１６の左側にあるサイドガイド部１８にコード３を挿通させている。
これにより、本体部及び副体部のコ字状又はＵ字状周縁を肉厚に形成して座席の背当て部に接触させていても形状がくずれて前に倒れ込んだりすることが無い点と相まって、コード３の長さも適宜に調整することにより、面発熱体を内蔵する本体部を、座席の座部に載置すれば着座者の臀部を保温し、座席の背当て部に接触させれば着座者の腰部を保温するという使い分けが可能になる。
また、図１及び図２では運転席に座席保温器具１を取り付ける場合を説明しているが、助手席に座席保温器具１を取り付ける場合は、シガーライターソケットの位置が座席保温器具１の右側となるのでサイドガイド部１８のうち右側の方を使用することになる。また、後部座席に座席保温器具１を取り付ける場合は、コード３の長さを調整する必要がなければリアガイド部１７を使用しないこともある。多数の座席保温器具１を使用する場合には、シガーライターソケットに分岐器具を取り付けたり、延長のためのコードを介してシガーライターソケットから遠くに位置する座席で座席保温器具１を使用することは可能である。
【図面の簡単な説明】
【００１１】
【図１】本発明に係る座席保温器具を運転席に取り付けた状態示す説明図である。
【図２】図１の座席保温器具のコード取り回し状態を、面発熱体が座部側に位置する場合と背当て側に位置する場合とに分けて座席保温器具を平面状態として示す説明図である。
【符号の説明】
【００１２】
１・・座席保温器具、２・・アダプター、３・・コード、４・・面発熱体、５・・スイッチ、１１・・本体部、１２・・ベルト、１３・・膨大部、１４・・挟持固定部、１５・・折曲げ部、１６・・副体部、１７・・リアガイド部、１８・・サイドガイド部、２０・・座席、２１・・座部、２２・・背当て部。
【図１】
2005186899.tif 000003
【図２】
2005186899.tif 000004